(57)【要約】【課題】固定装置の固定性能を高める。【解決手段】テーブルクロス５００を天板３１０からはがすような引張力が作用したとき、固定装置１００には、固定装置１００を外側に回転させるモーメントＭ２が生じるが、側面部材１２０が角部３１６の縁部３１２に当接することにより、モーメントＭ２に対向する反力ＦＲ２を生じる。これによって、固定装置１００はモーメントＭ２が生じても強固にテーブルクロス５００を支持し、ずれを防止し得る。【選択図】　　　　図６
2004073382.tif 000002
【特許請求の範囲】
【請求項１】
物体に接する第１部材と、
前記第１部材の反対側から物体に向かって突出する挟圧手段と、
前記挟圧手段を支持する第２部材と、
前記第１部材に連結され、前記物体の縁部に当接する第３部材と、
を備えた固定装置。
【請求項２】
前記第１部材の物体との接触面には摩擦部材が配設されたことを特徴とする請求項１記載の固定装置。
【請求項３】
前記挟圧手段の物体との接触面には摩擦部材が配設されたことを特徴とする請求項１または２記載の固定装置。
【請求項４】
前記挟圧手段は締め込みねじであることを特徴とする請求項１乃至３のいずれかに記載の固定装置。
【請求項５】
前記第３部材は前記物体の略直角な角部に密着、当設するように断面直角に形成されていることを特徴とする請求項１乃至４のいずれかに記載の固定装置。
【請求項６】
前記第２部材を第１部材に対して支持する支持部材を設けたことを特徴とする請求項１乃至５のいずれかに記載の固定装置。
【請求項７】
前記挟圧手段は前記物体を外側に向かって斜めに押圧し、これによって前記第３部材を前記物体の縁部に押し付けることを特徴とする請求項１乃至６のいずれかに記載の固定装置。
【請求項８】
物体はテーブルクロスで覆われたテーブルであることを特徴とする請求項１乃至７のいずれかに記載の固定装置。
【請求項９】
第１部材には電気スタンドを支持するための支持手段が設けられていることを特徴とする請求項１乃至８のいずれかに記載の固定装置。
【請求項１０】
第１部材にはメニューを支持するための支持手段が設けられていることを特徴とする請求項１乃至８のいずれかに記載の固定装置。
【請求項１１】
第１部材には小物を支持するための支持手段が設けられていることを特徴とする請求項１乃至８のいずれかに記載の固定装置。
【発明の詳細な説明】
【０００１】
【発明の属する技術分野】
本発明は、固定装置に関する。
【０００２】
【従来の技術】
従来、テーブルクロスを固定する固定手段として以下の従来例が存在した。
（従来例１）　螺旋状の弾性体よりなり、テーブルクロスをテーブル端部に掛けつつ、テーブルクロスを弾性体で挟持するもの。
（従来例２）　特開平１０−５０４７号記載のテーブルクロスのずれ防止機具。テーブルクロスにピンを取り付け、ピンを粘着テープによってテーブルに貼付するもの。
（従来例３）　登録実用新案第３００６３０２号記載のテーブルクロスの滑り止め。テーブル端部の対向位置にフックを掛け、これらフックをベルトで引っ張るもの。
（従来例４）　テーブルの縁部を挟持するクリップでテーブルクロスのずれを防止するもの。
【０００３】
【発明が解決しようとする課題】
従来例１は、テーブルクロスを弾性的に支持しているので、固定した状態でもテーブルクロスの若干のずれは防止できす、弾性体では挟持するテーブル端部の長さが不十分であるときは固定手段を固定することはできない。またテーブル角部では弾性体で挟持する部分の面積を確保できないため、使用不能である。
【０００４】
従来例２は、粘着テープの粘着剤がテーブルに付着し、またピンをテーブルクロスにねじ止めすると記載されているので、テーブルクロスの損傷は避けられない。
【０００５】
従来例３は、テーブル天板に沿ってベルトを配設できないテーブルではベルトが邪魔になり、あるいは使用不能である。
【０００６】
従来例４は、使用者がテーブルクロスに手をついたときや、強風で煽られたときなど、容易に外れ、その弾性力ではじけ飛んで、使用者にとって危険であった。
【０００７】
さらに従来の電気スタンドをデスク等に固定するための固定手段は、万力状に構成され、把持する面積が狭いときに電気スタンドを強固に固定できない。
【０００８】
本発明このような従来の問題点を解消すべく創案されたもので、テーブル等で使用される固定装置の固定性能を高めることを目的とする。
【０００９】
【課題を解決するための手段】
本発明に係る固定装置は、物体に接する第１部材と、前記第１部材の反対側から物体に向かって突出する挟圧手段と、前記挟圧手段を支持する第２部材と、前記第１部材に連結され、前記物体の縁部に当接する第３部材とを備える。これによって固定性能を高め得る。
【００１０】
本発明に係る固定装置において、前記第１部材の物体との接触面に摩擦部材を配設すれば固定性能を一層高め得る。
【００１１】
本発明に係る固定装置において、前記挟圧手段の物体との接触面に摩擦部材を配設すれば固定性能を一層高め得る。
【００１２】
本発明に係る固定装置において、前記挟圧手段は例えば締め込みねじである。
【００１３】
本発明に係る固定装置において、前記第３部材を、前記物体の略直角な角部に密着、当設するように断面直角に形成すれば、角部への取り付けが可能となる。
【００１４】
本発明に係る固定装置において、前記第２部材を第１部材に対して支持する支持部材を設けてもよい。これによって挟圧手段による負荷が第３部材に加わることを防止でき、固定性能に悪影響を与えない。
【００１５】
本発明に係る固定装置において、前記挟圧手段によって前記物体を外側に向かって斜めに押圧し、これによって前記第３部材を前記物体の縁部に押し付ければ、固定性能を高めるように、挟圧手段による負荷を第３部材に与え得る。
【００１６】
本発明に係る固定装置において、物体はテーブルクロスで覆われたテーブルであってもよい。
【００１７】
本発明に係る固定装置において、第１部材には電気スタンドを支持するための支持手段が設けてもよい。
【００１８】
本発明に係る固定装置において、第１部材にはメニューを支持するための支持手段を設けてもよい。
【００１９】
本発明に係る固定装置において、第１部材には小物を支持するための支持手段を設けてもよい。
【００２０】
次に本発明に係る固定装置のテーブルクロス固定に好適な実施形態を図面に基づいて説明する。
【００２１】
［第１の実施形態］
図１は、本発明に係る固定装置の第１の実施形態を示す正面図、図２は、第１の実施形態を示す平面図、図３は、第１の実施形態を示す右側面図、図４は、第１の実施形態の使用状態を示す正面図、図５は、第１の実施形態の使用状態を示す平面図、図６は、第１の実施形態の使用状態を示す斜視図である。
【００２２】
図１乃至図６において、固定装置１００は、テーブル３００の天板３１０上面３１２に当接する上面部材１１０と、天板３１０の縁部３１２に当接する側面部材１２０とを有する。
【００２３】
固定装置１００には、締め込みねじ２１０が螺合された底面部材２００が設けられ、締め込みねじ２１０は天板３１０の底面３１４に圧接される。底面部材２００、締め込みねじ２１０および上面部材１１０は、いわゆる万力機構を構成し、固定装置１００を天板３１０に固定する。締め込みねじ２１０の上端には天板３１０の底面３１４に直接あるいは間接的に当接するシュー２１２が回転可能に取り付けられている。これによって、シュー２１２の底面３１４に対する当接力が高まったときも、締め込みねじ２１０の締め込みが、シュー２１２１に対する摩擦力で阻害されない。またシュー２１２によってテーブルクロス５００にねじれ力などが作用して、テーブルクロスを損傷するおそれはない。
【００２４】
側面部材１２０は、天板３１０における略直角な角部３１６の縁部３１２に添って、水平断面直角の形状とされ、角部３１６に密着する。
【００２５】
天板３１０にはテーブルクロス５００が掛けられており、固定装置１００は、天板３１０に固定されたときにテーブルクロス５００を天板３１０に対して固定する。
【００２６】
上面部材１１０の底面１１２には摩擦部材１５０が貼着され、上面部材１１０のテーブルクロス５００に対する摩擦力が高められている。これによって万力機構によって締め付けられたとき、テーブルクロス５００のずれが防止されている。
【００２７】
テーブルクロス５００を天板３１０からはがすような引張力が作用したとき、固定装置１００には、固定装置１００を外側に回転させるモーメントＭ２（図６）が生じるが、側面部材１２０が角部３１６の縁部３１２に当接することにより、モーメントＭ２に対向する反力ＦＲ２を生じる。これによって、固定装置１００はモーメントＭ２が生じても強固にテーブルクロス５００を支持し、ずれを防止し得る。
【００２８】
上面部材１１０、側面部材１２０、底面部材２００は金属板をプレス加工した一体形成部材であり、製造原価は安価である。また側面部材１２０の水平断面直角の形状により、万力機構としての充分な強度、剛性が確保されている。
【００２９】
このような角部３１６に取り付け得る固定装置は従来は全く存在せず、本実施形態は以上の構成により、角部３１６における固定装置１００の使用を可能にした。これによって、固定装置１００が、テーブル３００上の物品配置の障害となる可能性が低くなる。
【００３０】
なおシュー２１２の天板３１０あるいはテーブルクロス５００への接触面に摩擦部材を設けることにより、支持力を強化し得るとともに、テーブルクロス５００の損傷を防止し得る。
【００３１】
なお、固定装置１００をテーブルの対角位置の角部３１６で使用し、あるいは４隅の角部で使用することにより極めて効果的にテーブルクロス５００を固定し得る。
【００３２】
さらに側面部材１２０の外側に弾性パッド等を装着することにより、使用者が固定装置１００にぶつかったとき等の安全を確保し得る。
【００３３】
［第２の実施形態］
次に本発明に係る固定装置の第２の実施形態を図面に基づいて説明する。なお図中、第１の実施形態と同一若しくは相当部分には同一符号を付し、その説明を省略する。
【００３４】
図７は、本発明に係る固定装置の第２の実施形態を示す斜視図、図８は、第２の実施形態を第７のＶＩＩＩ矢視方向から見た斜視図、図９は、従来の固定装置の力学的特性を示す正面図、図１０は、本発明に係る固定装置の力学的特性を示す正面図である。
【００３５】
図７乃至図１０において、固定装置１００は天板３１０の直線的な縁部３１２への取り付けに好適である。
【００３６】
固定装置１００は直線的に配列された２枚の側面部材１２０を有し、これら側面部材１２０は、縁部３１２に、テーブルクロス５００を介して密着、当接する。
【００３７】
側面部材１２０、１２０の間には、上面部材１１０から下方に延びる支持部材１６０が設けられ、支持部財１６０の下端には底面部材２００が設けられている。底面部材２００には締め込みねじ２１０が螺合され、上面部材１１０とともに万力機構が構成されている。
【００３８】
図９において、従来の電気スタンド等の固定装置１０００は、コ字状部材１２００と、締め込みねじ１４００とよりなり、固定状態で、テーブルクロスをはがす方向のモーメントＭ２が作用したときには、これに対向する反力は締め込みねじ１４００のシュー１４２０においてのみ得られる。また締め込みねじ１４００の締め込みによって、固定装置１０００を上方に回転させつつ傾斜させるモーメントＭ１に対しては何ら反力が生じない。
【００３９】
図１０において、固定装置１００はモーメントＭ１に対しては、側面部材１２０における下向きの摩擦力Ｆｆ１に起因したモーメントＭｆ１によって対抗する。またモーメントＭ２に対しては、側面部材１２０における上向きの摩擦力Ｆｆ２に起因したモーメントＭｆ２、および側面部材１２０における水平外向きの反力Ｆｒ２に起因したモーメントＭｒ２によって対抗する。
【００４０】
このように本発明は側面部材１２０が縁部３１２に当接することにより、確実にテーブルクロス５００のずれを防止し得る。
【００４１】
［第３の実施形態］
次に本発明に係る固定装置の第３の実施形態を図面に基づいて説明する。なお図中、第１、第２の実施形態と同一若しくは相当部分には同一符号を付し、その説明を省略する。
【００４２】
図１１は、本発明に係る固定装置の第３の実施形態を示す斜視図である。
【００４３】
図１１において、固定装置１００は丸テーブルの天板３１０における縁部３１２への取り付けに好適である。
【００４４】
固定装置１００は曲率半径略１０ｃｍの円弧に添った側面部材１２０、１２０を有し、これら側面部材１２０、１２０の間で、支持部材１６０が下方に延びている。支持部財１６０の下端には底面部材２００が設けられ、底面部材２００には締め込みねじ２１０が螺合されて、上面部材１１０とともに万力機構が構成されている。側面部材１２０、１２０の曲率半径はその両端において縁部３１２に密着、当接するように設定され、一般的な丸テーブルについては、７ｃｍ〜１３ｃｍ程度が適当であるという経験則が得られている。
【００４５】
なお側面部材１２０、１２０を弾性体とし、あるいは弾性部材を側面部材１２０、１２０における縁部３１２への当接面の設けることにより、側面部材１２０、１２０を確実に縁部３１２に密着、当接することができる。
【００４６】
テーブルクロス５００をはがすような力が作用したときに、側面部材１２０は、円弧状の縁部３１２に密着、当接して、これに対抗する摩擦力、反力を生じ、テーブルクロス５００のずれを防止し得る。
【００４７】
［第４の実施形態］
次に本発明に係る固定装置の第４の実施形態を図面に基づいて説明する。なお図中、第１乃至第３の実施形態と同一若しくは相当部分には同一符号を付し、その説明を省略する。
【００４８】
図１２は、本発明に係る固定装置の第４の実施形態を示す正面図、図１３は同実施形態の斜視図である。
【００４９】
図１２、図１３において、固定装置１００は前記実施形態における万力機構を変更したものである。
【００５０】
固定装置１００は前記実施形態の支持部材が省略され、側面部材１２０の下端に底面部材２００が設けられている。底面部材２００はテーブル３００中央に向かって上方に傾斜し、締め込みねじ２１０には、回転および揺動が可能なシュー２１２が取り付けられている。シュー２１２は例えばボールジョイント２１６によって締め込みねじ２１０に取り付けられ、回転および揺動が可能とされている。
【００５１】
締め込みねじ２１０は、シュー２１２を、天板３１０に押付けつつ、テーブル３００外側に向かって押す。底面部材２００は締め込みねじ２００に生じる反力によってテーブル３００中央方向に押され、これによって、側面部材１２０はテーブル３００の縁部３１２に押し付けられる。
【００５２】
前記実施形態と同様側面部材１２０が縁部３１２に密着、当接することによって、固定装置１００の固定性能が向上し、テーブルクロス５００のずれが防止される。
【００５３】
［第５の実施形態］
次に本発明に係る固定装置の第５の実施形態を図面に基づいて説明する。なお図中、第１乃至第４の実施形態と同一若しくは相当部分には同一符号を付し、その説明を省略する。
【００５４】
図１４は、本発明に係る固定装置の第５の実施形態を示す斜視図、図１５は同実施形態の分解状態を示す斜視図である。
【００５５】
本実施形態は、第１の実施形態を電気スタンド７００の固定装置７１０に適用したものである。
【００５６】
図１４、図１５において、固定装置７１０は上面部材１１０、側面部材１２０、締め込みねじ２１０を有し、上面部材１１０には上方に向かってスリーブ７２０が突設されている。電気スタンド７００には、スリーブ７２０に回転可能に挿入されるスピンドル７３０が設けられ、スピンドル７３０をスリーブ７２０に挿入すれば、電気スタンド７００は、固定装置７１０によって、回転可能に支持される。
【００５７】
固定装置７１０はテーブル３００の角部３１６に取り付け得るので、電気スタンド７００を、テーブル３００の角部３１６において支持し得る。これによってテーブル３００上を広く使用することが可能になる。
【００５８】
なお第２乃至第４の実施形態に電気スタンドを支持し得る構成を付加すれば、同様に、電気スタンドのための固定装置を構成し得ることはいうまでもない。
【００５９】
［第６の実施形態］
次に本発明に係る固定装置の第６の実施形態を図面に基づいて説明する。なお図中、第１乃至５の実施形態と同一若しくは相当部分には同一符号を付し、その説明を省略する。
【００６０】
図１６は、本発明に係る固定装置の第６の実施形態を示す斜視図である。
【００６１】
本実施形態は、第２の実施形態をメニュースタンド８００に適用したものである。
【００６２】
図１７において、メニュースタンド８００は、第２の実施形態と同様の固定装置８１０における上面部材１１０に、メニュー支持用のフレーム８２０、８３０、８４０を突設したものである。固定装置８１０はテーブル３００の略直線的な縁部３１２に取り付けられており、フレーム８２０、８３０、８４０は、縁部３１２に沿いつつ上向に立ち上がる略矩形状に形成されている。
【００６３】
フレーム８２０、８３０、８４０は、その間に挿入されたメニュー９００を支持し得る。
【００６４】
固定装置８１０を縁部３１２に強固に取り付ければ、メニュースタンド８００がテーブル３００上で邪魔になることはない。
【００６５】
なお第１、第３、第４の実施形態にメニューを支持し得る構成を付加すればメニュースタンドを構成し得ることはいうまでもない。
【００６６】
以上の実施形態では水平なテーブル３００の天板３１０に固定装置１００、７１０、８２０を取り付けたが、垂直あるいは傾斜した物体に固定すべき固定装置にも本発明を適用し得る。
【００６７】
以上の実施形態における締め込みねじに替えて、上面部材とともに物体を挟圧し得る任意の強圧手段を採用し得る。
【００６８】
なお固定装置にはコップその他、種々の小物を支持するための支持手段を設け得ることが可能であり、カスタートレイ（調味料置き）、回転カスター、楊枝・箸置き、ナフキン立て、ペン挿し、カード入れ、リモコンケース、コードレステレホン台、ベル置き、めがねケース、花瓶、テーブルアクセサリ等を設けることができる。これによってテーブルを機能的にドレスアップし得る。
【００６９】
本発明はテーブルその他における多様な物品の固定に効果が有り、物品の位置ずれ、落下を防止し得るので、使用者の安全を確保し得る。従って、その好適な使用環境としては、家庭、飲食店、レストラン、ホテル、催し場、宴会場、オープンカフェ、キャンプ、ガーデンパーティ会場、または、キャンピングカー、食堂車、旅客船、その他の乗り物、病院、介護施設等極めて多様である。さらに、本発明は高齢化社会におけるバリアフリー化に貢献し得ることはいうまでもない。
【００７０】
【発明の効果】
本発明は、固定装置の固定性能を高め得る。
【図面の簡単な説明】
【図１】本発明に係る固定装置の第１の実施形態を示す正面図である。
【図２】第１の実施形態を示す平面図である。
【図３】第１の実施形態を示す右側面図である。
【図４】第１の実施形態の使用状態を示す正面図である。
【図５】第１の実施形態の使用状態を示す平面図である。
【図６】第１の実施形態の使用状態を示す斜視図である。
【図７】本発明に係る固定装置の第２の実施形態を示す斜視図である。
【図８】第２の実施形態を第７のＶＩＩＩ矢視方向から見た斜視図である。
【図９】従来の固定装置の力学的特性を示す正面図である。
【図１０】本発明に係る固定装置の力学的特性を示す正面図である。
【図１１】本発明に係る固定装置の第３の実施形態を示す斜視図である。
【図１２】本発明に係る固定装置の第４の実施形態を示す正面図である。
【図１３】本発明に係る固定装置の第４の実施形態を示す斜視図である。
【図１４】本発明に係る固定装置の第５の実施形態を示す斜視図である。
【図１５】本発明に係る固定装置の第５の実施形態の分解状態を示す斜視図である。
【図１６】本発明に係る固定装置の第６の実施形態を示す斜視図である。
【符号の説明】
１００、７１０、８１０　固定装置
１１０　上面部材
１１４　摩擦部材
１２０　側面部材
２００　底面部材
２１０　締め込みねじ
２１２　シュー
７００　電気スタンド
７２０　スリーブ
８２０、８３０、８４０　フレーム
９００　メニュー
【図１】
2004073382.tif 000003
【図２】
2004073382.tif 000004
【図３】
2004073382.tif 000005
【図４】
2004073382.tif 000006
【図５】
2004073382.tif 000007
【図６】
2004073382.tif 000008
【図７】
2004073382.tif 000009
【図８】
2004073382.tif 000010
【図９】
2004073382.tif 000011
【図１０】
2004073382.tif 000012
【図１１】
2004073382.tif 000013
【図１２】
2004073382.tif 000014
【図１３】
2004073382.tif 000015
【図１４】
2004073382.tif 000016
【図１５】
2004073382.tif 000017
【図１６】
2004073382.tif 000018